(57)【要約】【課題】            隣り合う扉体の間に万が一物等が挟まれた際の押圧力を軽減できる上、対向する召合せ弾性体間に第三者によって故意に覗かれるような隙間が形成されてしまうのを防ぐことができる折戸扉体間の召合せ構造を提供する。【解決手段】        回動可能に接続された隣り合う扉体１１，１２の間に、各扉体に対し一体的に設けられた状態で対向するように、中空部ｓを有する召合せ弾性体５１，５２を設け、これら対向する両召合せ弾性体５１，５２により、隣り合う扉体１１，１２間の隙間を隠すようにした折戸扉体間の召合せ構造において、前記召合せ弾性体５１，５２の前記中空部ｓ内への変形を部分的に抑制する変形抑制手段を備えた。【選択図】          図１
2007278038.tif 000002
【特許請求の範囲】
【請求項１】
回動可能に接続された隣り合う扉体の間に、各扉体に対し一体的に設けられた状態で対向するように、中空部を有する召合せ弾性体を設け、これら対向する両召合せ弾性体により、隣り合う扉体間の隙間を略隠すようにした折戸扉体間の召合せ構造において、
前記召合せ弾性体の前記中空部内への変形を部分的に抑制する変形抑制手段を備えたことを特徴とする折戸扉体間の召合せ構造。
【請求項２】
上記変形抑制手段は、上記中空部を挟んで扉体厚さ方向に配設される上記召合せ弾性体の両壁部の内、その一方側の壁部を、他方側の壁部よりも厚肉に形成することで構成されていることを特徴とする請求項１記載の折戸扉体間の召合せ構造。
【請求項３】
隣り合う扉体の間で対向する二つの上記召合せ弾性体に、それぞれ上記一方側の厚肉な壁部と、上記他方側の壁部とを形成している折戸扉体間の召合せ構造であって、
一方の召合せ弾性体における上記一方側の厚肉な壁部を扉体表側に配設するとともに、他方の召合せ弾性体における上記一方側の厚肉な壁部を扉体裏側に配設したことを特徴とする請求項２記載の折戸扉体間の召合せ構造。
【請求項４】
上記変形抑制手段は、上記召合せ弾性体に、上記中空部内で扉体幅方向へわたる変形抑制リブを設けるとともに、該変形抑制リブの突端と上記扉体の端部との間に、上記召合せ弾性体を所定量変形させるための変形用空間部を確保してなることを特徴とする請求項１乃至３何れか１項記載の折戸扉体間の召合せ構造。
【請求項５】
上記変形抑制リブは、上記中空部における扉体厚さ方向の中央側に配設されていることを特徴とする請求項４記載の折戸扉体間の召合せ構造。
【請求項６】
上記変形抑制手段は、上記召合せ弾性体を上記中空部側から受けるように、上記扉体側に、上記召合せ弾性体よりも硬質な硬質補強部を設けてなることを特徴とする請求項１記載の折戸扉体間の召合せ構造。
【請求項７】
上記硬質補強部は、上記中空部を挟んで扉体厚さ方向に配設される上記召合せ弾性体の両壁部の内、その一方側の壁部に沿って接触するように設けられ、
他方側の壁部には、該硬質補強部を接触させていないことを特徴とする請求項６記載の折戸扉体間の召合せ構造。
【請求項８】
隣り合う扉体の間で対向する二つの上記召合せ弾性体の内部に、それぞれ上記硬質補強部を備え、
一方の召合せ弾性体内の上記硬質補強部を扉体表側の壁部に接触させるとともに、他方の召合せ弾性体内の硬質補強部を扉体裏側の壁部に接触させるようにしたことを特徴とする請求項７記載の折戸扉体間の召合せ構造。
【請求項９】
上記硬質補強部は、上記中空部における扉体厚さ方向の中央側に配設されるとともに、その突端と、当該硬質補強部を内在する召合せ弾性体の内面との間に、該召合せ弾性体を所定量変形させるための変形用空間部を確保していることを特徴とする請求項６記載の折戸扉体間の召合せ構造。
【請求項１０】
対向する上記召合せ弾性体を、隣り合う扉体間の回動が阻まれないように、扉体召合わせ方向へわたって凹凸状に係合したことを特徴とする請求項１乃至９何れか１項記載の折戸扉体間の召合せ構造。
【発明の詳細な説明】
【技術分野】
【０００１】
本発明は、折戸における隣り合う扉体間に配設される召合せ弾性体により、該扉体間の隙間を略隠すようにしている折戸扉体間の召合せ構造に関するものである。
【０００２】
従来、この種の発明には、特許文献１に記載されたもののように、回動可能に接続された隣り合う扉体（子扉４と親扉５）の間に、各扉体に止着された状態で対向するように、中空部を有する召合せ弾性体（召合せゴム体１８）を設け、これら対向する召合せ弾性体により、隣り合う扉体間の隙間を隠すようにした折畳み式回転扉がある。
この従来技術では、通常の開閉動作においては、両扉体（子扉４と親扉５）間の隙間が、対向して接触する召合せ弾性体（召合せゴム体１８，１８）により塞がれる。
また、開閉動作中に、万が一、両召合せ弾性体（召合せゴム体１８，１８）の間に物等が挟まった場合には、各召合せ弾性体の弾性変形により、その物等が挟持力を受けるのを、軽減することができる。
【０００３】
しかしながら、上記従来技術によれば、悪意を有する第三者等により、両召合せ弾性体（召合せゴム体１８，１８）間に、指や先細状物等が挿入され、両召合せ弾性体の一方または双方が変形させられてしまうと、これら両召合せ弾性体の間に隙間を生じてしまい、その隙間により、両扉体（子扉４及び親扉５）の厚さ方向の一方側から他方側を覗かれてしまうおそれがある。
【特許文献１】特開平１１−２３６７８７号公報
【発明の開示】
【発明が解決しようとする課題】
【０００４】
本発明は上記従来事情に鑑みてなされたものであり、その課題とする処は、対向する召合せ弾性体間に第三者によって故意に覗かれるような隙間が形成されてしまうのを防ぐことができる折戸扉体間の召合せ構造を提供することにある。
【課題を解決するための手段】
【０００５】
上記課題を解決するために第一の発明は、回動可能に接続された隣り合う扉体の間に、各扉体に対し一体的に設けられた状態で対向するように、中空部を有する召合せ弾性体を設け、これら対向する両召合せ弾性体により、隣り合う扉体間の隙間を略隠すようにした折戸扉体間の召合せ構造において、前記召合せ弾性体の前記中空部内への変形を部分的に抑制する変形抑制手段を備えたことを特徴とする。
【０００６】
ここで、上記扉体は、複数備えられ、隣り合う扉体の内の一方を他方に対し回動するように接続してなるものである。
したがって、この扉体の態様には、該扉体が二つ備えられ、隣り合う扉体間が回動可能に接続された構成や、該扉体が三つ以上備えられ、各隣り合う扉体間が回動可能に接続された構成等を含む。
【０００７】
また、上記召合せ弾性体は、隣り合う扉体間において、一方の扉体と他方の扉体との各々に対し設けられるように、少なくとも２つ具備されるものであり、各召合せ弾性体は、扉体に対し一体的に設けられた状態で、その内部に中空部を有する。
各召合せ弾性体の態様には、例えば、召合せ方向へわたる貫通孔状の中空部を有する構成や、横断面略Ｕ字状や横断面略Ｖ字状、横断面略コ字状等のように凹状の空間を有する形状に形成され、その開口部側の縁が扉体の端部に固定されることで、横断面上において中空部を形成するようにした構成等を含む。
この召合せ弾性体の材料は、弾性変形可能なものであればよく、好ましい態様としては、ゴム材料や、弾性合成樹脂材料等とされ、他例としては、弾性的に撓むことが可能な金属製の薄板材とすることも可能である。
この召合せ弾性体は、隣り合う扉体間の隙間の長手方向の略全長にわたって連続的に設けられていることが好ましいが、部分的に又は分割して設けられた態様とすることも可能である。
【０００８】
また、上記変形抑制手段とは、上記召合せ弾性体の上記中空部内への変形を部分的に抑制する構成であればよく、その具体例としては、上記召合せ弾性体を構成する壁部の肉厚を部分的に厚くするようにした態様や、上記召合せ弾性体にリブを構成することで部分的に変形が抑制されるようにした態様、上記召合せ弾性体に厚さ方向の切欠や溝等の凹部を設け、該凹部以外の箇所の変形が抑制されるようにした態様、上記召合せ弾性体を弾性の異なる複数の弾性体から構成し、これら複数の弾性体の内の比較的弾性の低い弾性体（例えば、ゴム硬度が低いゴム材料）によって部分的に変形が抑制されるようにした態様等が挙げられる。
【０００９】
更に、上記変形抑制手段の具体例としては、上記扉体側に上記召合せ弾性体の内部へ向かって突出する変形抑制部を設け、該変形抑制部を上記召合せ弾性体に当接させることにより、上記召合せ弾性体の変形を部分的に抑制するようにした態様が挙げられる。
この態様において、前記変形抑制部は、硬質材料からなる構成とすることが好ましいが、上記召合せ弾性体を構成する弾性材料よりも弾性の低い弾性材料から構成された態様や、上記召合せ弾性体を構成する弾性材料よりも弾性の低い弾性材料からなる部分と硬質材料からなる部分との両方を適宜に組み合わせてなる態様等とすることも可能である。
更に、前記変形抑制部は、上記召合せ弾性体よりも弾性の低いスプリングや板バネ等とすることも可能である。
【００１０】
また、第二の発明では、上記変形抑制手段は、上記中空部を挟んで扉体厚さ方向に配設される上記召合せ弾性体の両壁部の内、その一方側の壁部を、他方側の壁部よりも厚肉に形成することで構成されていることを特徴とする。
【００１１】
ここで、上記壁部とは、横断面上において、上記中空部を挟んで扉体厚さ方向に並んで配設された一方と他方の部位であり、これら両壁部は、略平行であってもよいし、平行でなくてもよい。
各壁部の横断面形状は、特に限定されず、この壁部には、例えば、横断面略曲線状の壁部や、横断面略直線状の壁部、折れ曲がった箇所のある横断面形状の壁部等を含む。
【００１２】
また、第三の発明では、隣り合う扉体の間で対向する二つの上記召合せ弾性体に、それぞれ上記一方側の厚肉な壁部と、上記他方側の壁部とを形成している折戸扉体間の召合せ構造であって、一方の召合せ弾性体における上記一方側の厚肉な壁部を扉体表側に配設するとともに、他方の召合せ弾性体における上記一方側の厚肉な壁部を扉体裏側に配設したことを特徴とする。
【００１３】
ここで、上記扉体表側とは、上記扉体裏側の逆側であればよく、この扉体表側は、上記扉体における厚さ方向の一方側部位と他方側部位との内の何れとしてもよい。
【００１４】
また、第四の発明では、上記変形抑制手段は、上記召合せ弾性体に、上記中空部内で扉体幅方向へわたる変形抑制リブを設けるとともに、該変形抑制リブの突端と上記扉体の端部との間に、上記召合せ弾性体を所定量変形させるための変形用空間部を確保してなることを特徴とする。
【００１５】
ここで、上記変形抑制リブは、上記召合せ弾性体の召合せ方向の略全長にわたって設けられていることが好ましいが、上記召合せ弾性体の召合せ方向において部分的に設けられた態様とすることも可能である。
また、この変形抑制リブは、召合せ方向へ連続的に設けられていることが好ましいが、召合せ方向へ断続的に設けられた複数の部位からなる構成とすることも可能である。
【００１６】
また、第五の発明では、上記変形抑制リブは、上記中空部における扉体厚さ方向の中央側に配設されていることを特徴とする。
【００１７】
また、第六の発明では、上記変形抑制手段は、上記召合せ弾性体を上記中空部側から受けるように、上記扉体側に、上記召合せ弾性体よりも硬質な硬質補強部を設けてなることを特徴とする。
【００１８】
ここで、上記硬質補強部は、硬質材料（例えば、硬質合成樹脂材料、金属材料、木材、セラミック等）とするのが好ましいが、上記召合せ弾性体よりも硬質な材料であればよく、例えば、上記召合せ弾性体よりも弾性の低い弾性体とすることも可能である。
また、この硬質補強部は、予め上記召合せ弾性体に対し上記中空部側から接触することで該召合せ弾性体を受けている態様であってもよいし、上記召合せ弾性体が弾性変形した際に、その弾性変形した召合せ弾性体に接触して該召合せ弾性体を受ける態様であってもよい。
【００１９】
また、第七の発明では、上記硬質補強部は、上記中空部を挟んで扉体厚さ方向に配設される上記召合せ弾性体の両壁部の内、その一方側の壁部に沿って接触するように設けられ、他方側の壁部には、該硬質補強部を接触させていないことを特徴とする。
【００２０】
また、第八の発明では、隣り合う扉体の間で対向する二つの上記召合せ弾性体の内部に、それぞれ上記硬質補強部を備え、一方の召合せ弾性体内の上記硬質補強部を扉体表側の壁部に接触させるとともに、他方の召合せ弾性体内の硬質補強部を扉体裏側の壁部に接触させるようにしたことを特徴とする。
【００２１】
また、第九の発明では、上記硬質補強部は、上記中空部における扉体厚さ方向の中央側に配設されるとともに、その突端と、当該硬質補強部を内在する召合せ弾性体の内面との間に、該召合せ弾性体を所定量変形させるための変形用空間部を確保していることを特徴とする。
【００２２】
また、第十の発明では、対向する上記召合せ弾性体を、隣り合う扉体間の回動が阻まれないように、扉体召合わせ方向へわたって凹凸状に係合したことを特徴とする。
【００２３】
なお、本明細書中において「扉体厚さ方向」とは、上記各扉体の厚さ方向を意味する。
また、本明細書中において「扉体幅方向」とは、上記各扉体の幅方向を意味し、この扉体幅方向は、上記扉体の召合せ方向に対し交差する方向である。
また、本明細書中において「召合せ方向」とは、隣り合う扉体が召合せられている方向を意味し、この召合せ方向は、上記扉体の開閉方向に対し交差する方向であり、例えば、上記扉体を左右方向へ開閉する構成とした場合においては、召合せ方向は上下方向となる。
【発明の効果】
【００２４】
本発明は、以上説明したように構成されているので、以下に記載されるような作用効果を奏する。
第一の発明によれば、通常の開閉動作においては、両扉体間の隙間が、対向する召合せ弾性体により塞がれる。
また、扉体の閉鎖状態において、両召合せ弾性体の間が指や先細状物等により故意に押圧されて、両召合せ弾性体の一方または双方が変形したとしても、その際の変形が変形抑制手段によって部分的に抑制されるため、対向する召合せ弾性体間に第三者によって故意に覗かれるような隙間が形成されてしまうのを防ぐことができる。
【００２５】
更に、第二の発明によれば、扉体の閉鎖状態において、一方側の壁部よりも薄肉な他方側の壁部側から、両召合せ弾性体の間が指や先細状物等により故意に押圧された場合、その薄肉な他方側の壁部が弾性変形したとしても、厚肉な他方側の壁部は弾性変形し難いため、対向する召合せ弾性体間に第三者によって故意に覗かれるような隙間が形成されてしまうのを防ぐことができる。
【００２６】
更に、第三の発明によれば、対向する両召合せ弾性体により、厚肉な壁部と薄肉な壁部とが、扉体表側と扉体裏側との各々において扉体幅方向に対向し、且つ扉体厚さ方向に並んで配置されることになる。
したがって、例えば、扉体表側から、扉体幅方向に対向する厚肉な壁部と薄肉な壁部との間が、指や先細状物等により故意に押圧された場合、その指や先細状物等は、比較的変形し難い厚肉な壁部を避けて、薄肉な壁部側へ逃がされるため、薄肉な壁部が弾性変形する。
しかしながら、その薄肉な壁部の弾性変形は、扉体裏側の厚肉な壁部まではおよび難い。また、扉体裏側から指や先細状物等により故意に押圧された場合も、同様に作用する。
よって、対向する召合せ弾性体間に第三者によって故意に覗かれるような隙間が形成されてしまうのを、効果的に防ぐことができる。
しかも、対抗する召合せ弾性体の間に、万が一、指や物等が挟まれた際には、その指や物等に押圧力が加わるのを、薄肉な壁部の弾性変形により防ぐことができる。
【００２７】
更に、第四の発明によれば、両召合せ弾性体の間が指や先細状物等により故意に押圧されて、召合せ弾性体に押圧力が加わったとしても、変形抑制リブの突端が扉体の端部に当接するため、召合せ弾性体の変形を抑制して、対向する召合せ弾性体間に第三者によって故意に覗かれてしまうような隙間が形成されるのを防ぐことができる。
しかも、扉体の閉鎖状態において、万が一、両召合せ弾性体の間に指や物等が挟まれた場合には、両召合せ弾性体の一方または双方が、変形用空間部の間隔内で弾性変形することにより、その指や物等が受ける押圧力を、軽減することができる。
【００２８】
更に、第五の発明によれば、変形抑制リブが中空部における扉体厚さ方向の中央側に配設されているため、対向する両召合せ弾性体に対し、扉体表側また扉体裏側から指や先細状物等の押圧力が加わった際、その押圧力が変形抑制リブへ伝達し難い状態とすることができ、ひいては、対向する召合せ弾性体間に第三者によって故意に覗かれるような隙間が形成されてしまうのを、より効果的に防ぐことができる。
【００２９】
更に、第六の発明によれば、変形抑制リブが指や先細状物等により故意に押圧され変形してしまうのを、硬質補強部により防ぐことができる。
【００３０】
更に、第七の発明によれば、各召合せ弾性体における一方側の壁部に対し、指や先細状物等の押圧力が加わった際には、その押圧力に硬質補強部が対抗するため、前記一方側の壁部が弾性変形させられてしまうのを防ぐことができる。
また、各召合せ弾性体における他方側の壁部に対し、指や先細状物等の押圧力が加わった際には、その押圧力による弾性変形が、前記一方側の壁部にまでおよび難いため、この一方側の壁部により、第三者によって故意に覗かれるような隙間が形成されてしまうのを防ぐことができる。
【００３１】
更に、第八の発明によれば、対向する両召合せ弾性体により、硬質補強部に接触する壁部と、硬質補強部に接触しない壁部とが、扉体幅方向に対向して配置され、かつ扉体幅方向に並んで配置されることになる。
したがって、例えば、扉体表側から、扉体幅方向に対向する双方の壁部の間が、指や先細状物等により故意に押圧された場合、その指や先細状物等は、硬質補強部に接触していない壁部側へ逃がされ、硬質補強部に接触していない壁部を弾性変形させようとする。しかしながら、その弾性変形は、扉体裏側において硬質補強部により補強されている壁部まではおよび難い。扉体裏側から指や先細状物等により故意に押圧された場合も、同様に作用する。
よって、対向する召合せ弾性体間に第三者によって故意に覗かれるような隙間が形成されてしまうのを、効果的に防ぐことができる。
しかも、両召合せ弾性体間に、万が一、指や物等が挟まれた際には、その指や物等に加わる押圧力を、硬質補強部に接触していない壁部の弾性変形により軽減することができる。
【００３２】
更に、第九の発明によれば、両召合せ弾性体の間が指や先細状物等により故意に押圧されて、召合せ弾性体に変形力が加わったとしても、変形した召合せ弾性体の内面が硬質補強部の突端に当接するため、召合せ弾性体の変形を抑制して、対向する召合せ弾性体間に第三者によって故意に覗かれるような隙間が形成されてしまうのを防ぐことができる。
しかも、扉体の閉鎖状態において、両召合せ弾性体の間に、万が一、指や物等が挟まれた場合には、両召合せ弾性体の一方または双方が、変形用空間部の間隔内で弾性変形することにより、その指や物等が押圧力を受けるのを、軽減することができる。
【００３３】
また、第十の発明によれば、対向する両召合せ弾性体の間が指や先細状物等により故意に押圧され、一方または双方の召合せ弾性体が弾性変形したとしても、これら両召合せ弾性体がその扉体召合わせ方向へわたって凹凸状に係合しているため、これら召合せ弾性体間に第三者によって故意に覗かれるような隙間が形成されてしまうのを防ぐことができる。
【発明を実施するための最良の形態】
【００３４】
以下、本発明の実施の形態を図面に基づいて説明する。
本発明に係わる折戸扉体間の召合せ構造は、住宅やビル、倉庫、工場、地下街、トンネル、車両の荷台等の構築・構造物において開閉される出入り口等の部分に配設され、隣り合う扉体間を折り曲げるようにして双方向へ回動させる両開き式の折戸装置に適用した一例について説明する。
【００３５】
この折戸装置１は、図１に示すように、連設された複数の扉体１１，１２からなり開閉動作する折戸部１０と、該折戸部１０を左右方向側および上方側から囲む枠体２０と、該折戸部１０の戸尻側を回動可能に支持する基軸部３０と、該折戸部１０の戸先側の扉体１１を回動および開口部幅方向（図１における左右方向）へ移動するように支持した移動支持機構４０とを備え、隣り合う扉体１１，１２の間には、これら扉体１１，１２間の隙間を召合せ弾性体５１，５２によって略隠すようにして、召合せ構造が構成されている。
【００３６】
折戸部１０は、複数の扉体１１，１２を連設し、隣り合う扉体１１，１２の一方を他方に対して双方向へ回動するように接続してなる。
なお、図示例によれば、折戸部１０は、二つの扉体１１，１２により構成しているが、３以上の扉体を前記と同様に接続するようにしてもよい。
また、隣り合う扉体１１，１２の一方を他方に対して片方向へのみ回動させる所謂片開き式の折戸部を構成することも可能である。
【００３７】
最戸先側の扉体１１は、その上端部が、後述する移動支持機構４０によって吊持されることで、回動可能かつ開口部幅方向へ移動可能に支持されている。
この扉体１１の戸先側における表部及び／又は裏部には、取手部１１ａが設けられている。
取手部１１ａは、扉体１１に対し離間するように配設された略円筒状の把持部１１ａ１と、扉体１１の表面に固定されて把持部１１ａ１の上下両端側に対し凹凸状に遊嵌された支持部材１１ａ２，１１ａ２とからなり、把持部１１ａ２を回動自在に保持している。
【００３８】
この取手部１１ａによれば、扉体１１を開閉操作する操作者が、手首を返すことなく、把持部１１ａ１を回動させながら扉体１１を回動させることができるため、その操作性が良好である。
【００３９】
また、扉体１１の戸尻側の端部は、その上端側と下端側の各々が、蝶番や歯車、リンク部材等の回動機構を介して、扉体１２の戸先側端部に対し回動自在に接続されている。
なお、図中符号１１ｂは、ガラスや透明合成樹脂材料等の透明部材からなる窓部である。
【００４０】
また、戸尻側の扉体１２は、その戸尻側端部に、基軸部３０を内在し、該基軸部３０によって双方向へ回動するように支持されるとともに、同基軸部３０の付勢緩衝機構３２における付勢機構より閉鎖回動方向へ付勢されるとともに、同付勢緩衝機構３２内のダンパー機構によって全閉状態の手前で閉鎖速度が低下するようになっている。
【００４１】
この扉体１２における表部又は裏部には、前記付勢機構３２の調整部を露出させるように調整窓部１２ａ，１２ｂが設けられている。
一方の調整窓部１２ａ（又は１２ｂ）は、付勢緩衝機構３２の前記付勢機構を調整するための窓部であり、他方の調整窓部１２ｂ（又は１２ａ）は、同付勢緩衝機構３２の前記ダンパー機構を調整するための窓部である。
これら調整窓部１２ａ，１２ｂは、使用時以外はカバー部材等により覆うようにすればよいが、カバー部材等を設けずに付勢緩衝機構３２が露出される構成とすることも可能である。
【００４２】
また、枠体２０は、全閉時の折戸部１０の戸先部１０ａに対向する戸先側縦枠部２１と、全閉時の折戸部１０の戸尻部１０ｂに対向する戸尻側縦枠部２２と、これら縦枠部材２１，２２間をその上端側で連結する上枠部２３とから略コ字枠状に構成され、中空状の上枠部２３内には、移動支持機構４０等が構成されている。
なお、図示例によれば、折戸部１０の下方側は、床面や地面等としているが、両戸尻側縦枠部２１，２２間にわたる下枠部としてもよい。
【００４３】
また、基軸部３０は、折戸部１０の最戸尻側における上端側を回動自在に支持する枢支部材３１と、同戸尻側の下端側を支持する付勢緩衝機構３２とから構成され、戸尻側の扉体１２を回動可能に支持している。
【００４４】
枢支部材３１は、その上端側の部分が上枠部２３に固定されるとともに、その下端側の部分を扉体１２に対し回動自在に係合させている。
また、付勢緩衝機構３２は、扉体１２をスプリング等の弾性体の弾性力により閉鎖回動方向へ付勢する付勢機構と、同扉体１２の閉鎖動作を全閉状態の手前で減速するダンパー機構とを備えた周知の機構である。
なお、前記ダンパー機構は、扉体１２が勢いよく開放された際等に、全開時の衝撃を緩和する機構に置換することも可能である。
【００４５】
また、移動支持機構４０は、戸先側の扉体１１を回動自在に吊持するように構成された移動支持部４１を、ガイドレール４２に沿わせて開口部幅方向へ導くようにした機構である。
【００４６】
また、一方の召合せ弾性体５１は、中空部ｓを挟んで扉体厚さ方向に配設される両壁部５１ａ，５１ｂの内、その一方側の壁部５１ａの肉厚ｔ１を、他方側の壁部５１ｂの肉厚ｔ２よりも厚くすることで、前記中空部ｓ内への変形を部分的に抑制する変形抑制手段を構成している。
同様にして、他方の召合せ弾性体５２も、中空部ｓを挟んで扉体厚さ方向に配設される両壁部５２ａ，５２ｂの内、その一方側の壁部５２ａの肉厚ｔ１を、他方側の壁部５２ｂの肉厚ｔ２よりも厚くすることで、前記中空部ｓ内への変形を部分的に抑制する変形抑制手段を構成している。
【００４７】
これら両召合せ弾性体５１，５２の突端側は、隣り合う扉体１１，１２間の回動が阻まれないようにして、扉体召合わせ方向へわたって凹凸状に係合している。
より詳細に説明すれば、一方の召合せ弾性体５１は、壁部５１ａと壁部５１ｂとの接続箇所である突端側部分に、厚肉の壁部５１ａの突端側から連続するようにして他方の召合せ弾性体５２へ向く凸部５１ｃと、該凸部５１ｃの扉体厚さ方向側において薄肉の壁部５１ｂの突端側を略段状に曲げるようにして形成された凹部５１ｄとを有する。
【００４８】
同様にして、他方の召合せ弾性体５２は、壁部５２ａと壁部５２ｂとの接続箇所である突端側部分に、厚肉の壁部５２ａの突端側から連続するようにして他方の召合せ弾性体５１へ向く凸部５２ｃと、該凸部５２ｃの扉体厚さ方向側において薄肉の壁部５２ｂの突端側を略段状に曲げるようにして形成された凹部５２ｄとを有する。
【００４９】
そして、一方の召合せ弾性体５１は、上記一方側の厚肉な壁部５１ａを扉体表側（図３における上側）へ向けて、戸先側の扉体１１に嵌合固定される。
また、他方の召合せ弾性体５２は、上記一方側の厚肉な壁部５１ａを扉体裏側（図３における下側）へ向けて、戸尻側の扉体１２に嵌合固定される。
なお、前記扉体表側と前記扉体裏側は、反対であってもよい。
【００５０】
召合せ弾性体５１，５２の各々と扉体１２との嵌合構造について詳細に述べれば、一方の扉体１１（又は１２）における他方の扉体１２（又は１１）と対向する端部には、合成樹脂材料や金属材料等の硬質材料からなる止着ブラケット１３が、嵌合や、ねじ止め、リベット止め、接着、溶接等の固定手段により固定されている。
この止着ブラケット１３は、扉体１１（又は１２）と対向する部位を、召合せ弾性体５１（又は５２）と嵌合可能な形状に形成している。
したがって、上記召合せ弾性体５１（又は５２）は、止着ブラケット１３に対し、接着剤を介して嵌合されることで、扉体１１（又は１２）と一体的に構成されることになる。
なお、召合せ弾性体５１，５２の各々を扉体１１（又は１２）に対し固定する手段は、上記以外の手段であってもよく、例えば、嵌合や、ねじ止め、リベット止め、接着、溶接等の固定手段を、適宜に用いればよい。
【００５１】
そして、上記構成の両召合せ弾性体５１，５２は、それぞれ突端側の凸部５１ｃ（又は凸部５２ｃ）を、対向する凹部５２ｄ（又は凹部５１ｄ）に嵌め合せるようにして、互いに近接または接触した状態となる。
【００５２】
次に、上記構成の折戸装置１における折戸扉体間の召合せ構造について、その作用効果を詳細に説明する。
図３（ｂ）に示すように、両召合せ弾性体５１，５２の間が指や先細状物等により故意に押圧された場合、その指や先細状物等は、戸尻側の召合せ弾性体５２における比較的厚肉な壁部５１ａを避けて、戸先側の召合せ弾性体５１における比較的薄肉な壁部５１ｂを変形させようとする。
そして、薄肉な壁部５１ｂが変形したとしても、その変形は、同召合せ弾性体５１における壁部５１ａ迄はおよび難い。
しかも、双方の召合せ弾性体５１，５２が凹凸状に嵌合しているため、薄肉な壁部５１ｂが若干変形したとしても、双方の凸部５１ｃ，５２ｃが、それらの先端側部分を扉体厚さ方向において重ね合わせるようにして近接または接触させているため、両召合せ弾性体５１，５２間に、悪意を有する第三者等によって覗かれてしまうような隙間が形成されるのを防ぐことができる。
【００５３】
なお、図３に示す一例によれば、一方側の壁部５１ａ，５２ａを他方側の壁部５１ｂ，５２ｂよりも厚肉に形成したが、逆に、他方側の壁部５１ｂ，５２ｂを一方側の壁部５１ａ，５２ａよりも厚肉に形成するようにしてもよい。
また、図３に示す一例では、止着ブラケット１３を召合せ弾性体５１，５２とは別体の硬質材料としたが、この止着ブラケット１３は、召合せ弾性体５１，５２の各々と一体的な弾性体としてもよい。
【００５４】
次に、召合せ弾性体５１，５２を他の態様のものに置換した折戸装置について説明する。なお、以下に説明する折戸装置において、上述した折戸装置１と略同様の箇所については、折戸装置１と同一の符号を付けることで、重複する詳細説明を省略する。
【００５５】
図４に要部を示す折戸装置２は、上記折戸装置１における上記召合せ弾性体５１，５２を、召合せ弾性体５３，５４に置換した構成としている。
一方の召合せ弾性体５３は、上記召合せ弾性体５１と略同様に、中空部ｓを挟んで扉体厚さ方向に配設される両壁部５３ａ，５３ｂの内、その一方側の壁部５３ａの肉厚ｔ１を、他方側の壁部５３ｂの肉厚ｔ２よりも厚くしている。
更に、この召合せ弾性体５３は、その突端側（換言すれば召合せ弾性体５４側）の内面から突出するとともに中空部ｓ内で扉体幅方向へわたる変形抑制リブ５３ｅを設け、該変形抑制リブ５３ｅの突端と上記扉体１１の端部（詳細には止着ブラケット１３）との間に、召合せ弾性体５３を所定量だけ変形させるための変形用空間部ｗ１を確保することで、前記中空部ｓ内への変形を部分的に抑制する変形抑制手段を構成している。
なお、図中符号５３ｃは、上記召合せ弾性体５１の凸部５１ｃと略同様に設けられた凸部であり、符号５３ｄも上記召合せ弾性体５１の凹部５１ｄと略同様に設けられた凹部である。
【００５６】
同様にして、他方の召合せ弾性体５４も、中空部ｓを挟んで扉体厚さ方向に配設される両壁部５４ａ，５４ｂの内、その一方側の壁部５４ａの肉厚ｔ１を、他方側の壁部５４ｂの肉厚ｔ２よりも厚くし、更に、該召合せ弾性体５４の突端側（換言すれば召合せ弾性体５３側）の内面から突出するとともに中空部ｓ内で扉体幅方向へわたる変形抑制リブ５４ｅを設け、該変形抑制リブ５４ｅの突端と上記扉体１２の端部（詳細には止着ブラケット１３）との間に、召合せ弾性体５４を所定量のみ変形させるための変形用空間部ｗ１を確保することで、前記中空部ｓ内への変形を部分的に抑制する変形抑制手段を構成している。
なお、図中符号５４ｃは、上記召合せ弾性体５２の凸部５２ｃと略同様に設けられた凸部であり、符号５４ｄも上記召合せ弾性体５２の凹部５２ｄと略同様に設けられた凹部である。
【００５７】
上記変形用空間部ｗ１は、対向する両召合せ弾性体５３，５４の間に、万が一指や物等が挟まれた際に、召合せ弾性体５３及び／又は召合せ弾性体５４の弾性変形により、前記指等に対する押圧力が軽減され、且つ、両召合せ弾性体５３，５４の間が指や先細状物等により故意に押圧された際には、変形抑制リブ５３ｅ（及び／又は５４ｅ）の突端を止着ブラケット１３に当接させて、召合せ弾性体５３（及び／又は５４）の弾性変形を抑制するように、適宜に設定されている。
【００５８】
而して、図４に示す折戸装置２の召合せ構造によれば、両召合せ弾性体５３，５４が指や先細状物等により故意に押圧された際には、変形抑制リブ５３ｅ（及び／又は５４ｅ）の突端が止着ブラケット１３に当接するため、召合せ弾性体５３（及び／又は５４）の弾性変形が抑制され、これら両召合せ弾性体５３，５４間に覗かれるような隙間が形成されてしまうのを防ぐことができる。
また、使用者等が召合せ弾性体５３と召合せ弾性体５４との間に、万が一、指や物等を挟んだ際には、召合せ弾性体５３（及び／又は５４）を、変形用空間部ｗ１の間隔内で弾性変形させることで、前記指や物等に対する押圧力を軽減することができる。
【００５９】
なお、図４に示す一例によれば、一方側の壁部５３ａ，５４ａを他方側の壁部５３ｂ，５４ｂよりも厚肉に形成したが、逆に、他方側の壁部５３ｂ，５４ｂを一方側の壁部５３ａ，５４ａよりも厚肉に形成するようにしてもよい。
また、図４に示す好ましい一例によれば、召合せ弾性体５３（又は５４）の一方の壁部５３ａ（又は５４ａ）を他方の壁部５３ｂ（５４ｂ）よりも厚肉に形成することで、上記召合せ弾性体５１（及び５２）と同様の作用効果も得るようにしているが、双方の肉厚を略同一にすることも可能である。
更に、図４に示す一例において、変形抑制リブ５３ｅ，５４ｅの突端を、断面略Ｔ字状等の幅広状に形成することによって、該突端部と止着ブラケット１３との当接を安定化させて、その変形抑制効果を向上するようにしてもよい。
また、図４に示す一例では、止着ブラケット１３を召合せ弾性体５３，５４とは別体の硬質材料としたが、この止着ブラケット１３は、召合せ弾性体５３，５４の各々と一体的な弾性体としてもよい。
【００６０】
また、図５に要部を示す折戸装置３は、上記折戸装置１における両召合せ弾性体５１，５２を、召合せ弾性体５５，５６に置換するとともに、同折戸装置１における止着ブラケット１３を止着ブラケット１４に置換してなり、止着ブラケット１４に設けられた硬質補強部１４ａにより変形抑制手段を構成している。
【００６１】
一方の召合せ弾性体５５は、扉体厚さ方向へ並ぶ両壁部５５ａ，５５ｂを、略同一の厚さｔに形成し、突端側には凸部５５ｃ及び凹部５５ｄを形成している。
同様にして、他方の召合せ弾性体５６は、扉体厚さ方向へ並ぶ両壁部５６ａ，５６ｂを、略同一の厚さｔに形成し、突端側には凸部５６ｃ及び凹部５６ｄを形成している。
【００６２】
また、止着ブラケット１４は、上述した止着ブラケット１３に対し、硬質補強部１４ａを一体的に備えた構成とされる。
硬質補強部１４ａは、止着ブラケット１４全体の加工時に一体的に構成された硬質材料からなる部位であり、中空部ｓを挟んで扉体厚さ方向に配設される召合せ弾性体５５（又は５６）の双方の壁部５５ａ，５５ｂ（又は５６ａ，５６ｂ）の内、その一方側の壁部５５ａ（又は５６ａ）の内面に沿って接触するとともに、他方側の壁部５５ｂ（又は５６ｂ）には、接触しないように設けられている。
図示例についてより詳細に説明すれば、この硬質補強部１４ａは、一方側の壁部５５ａ（又は５６ａ）内面に沿って突出し、凹部５５ｄ（又は５６ｄ）における中空部ｓ側の面に当接している。
【００６３】
また、凸部５５ｃ（又は５６ｃ）は、上述した召合せ弾性体５１と略同様に、一方側の壁部５５ａ（又は５６ａ）の突端側に連続し、対向する凹部５６ｄ（又は５５ｄ）に嵌め合わせられる。
凹部５５ｄ（又は５６ｄ）は、図示例によれば、上述した召合せ弾性体５１，５２よりも、若干底の深い凹状に形成されており、対向する凸部５５ｃ（又は５６ｃ）を深めに嵌め合わせる。この構成によれば、故意に変形させられた際に、両召合せ弾性体５５，５６間に隙間が形成されるのを、より効果的に防ぐことができる。
【００６４】
而して、図５に示す折戸装置３の召合せ構造によれば、例えば、両召合せ弾性体５５，５６が扉体表側（図示の下側）から指や先細状物等により故意に押圧された際、一方の召合せ弾性体５５の壁部５５ｂの弾性変形が、硬質補強部１４ａにより抑制される。そのため、前記指や先細状物等は、他方の召合せ弾性体５６の壁部５５ａを弾性変形させるが、その弾性変形は、該召合せ弾性体５６の裏側の壁部５５ｂまでは及ばない。すなわち、裏側の壁部５５ｂは、硬質補強部１４ａにより補強されているため、前記のように、表側の壁部５５ａが変形したとしても容易に変形することはない。
また、例えば、両召合せ弾性体５５，５６の間に、万が一、表側から指や物等が挟まれた場合には、硬質補強部１４ａにより受けられていない壁部５５ａの弾性変形により、挟まれた指や物等に対する押圧力を軽減することができる。
【００６５】
なお、図５に示す態様において、壁部５５ｂ（又は５６ｂ）と硬質補強部１４ａとの間を接着剤により接着すれば、硬質補強部１４ａによる変形抑制効果を、一層向上することができる。
【００６６】
また、図６に要部を示す折戸装置５は、上述した折戸装置２（図２参照）に対し、一方の止着ブラケット１４を止着ブラケット１５に置換した構成とされる。
止着ブラケット１５は、上述した止着ブラケット１３に対し、他方の止着ブラケット１４に対向するように、硬質補強部１５ａを一体的に備えた構成とされる。
硬質補強部１４ａは、止着ブラケット１５全体の加工時に一体的に構成された硬質材料からなる部位であり、召合せ弾性体５６の一方の壁部５６ａの内面に沿って接触するようにして対向する召合せ弾性体５５側へ突出し、その突端と、召合せ弾性体５６内面との間に、召合せ弾性体５６を所定量のみ弾性変形させるための変形用空間部ｗ２を確保するようにしている。
【００６７】
変形用空間部ｗ２は、対向する両召合せ弾性体５５，５６の間に、万が一、指や物等が挟まれた際に、一方の召合せ弾性体５６における壁部５６ａの突端側（換言すれば召合せ弾性体５５側）の部分を弾性変形させて、指等に対する押圧力を軽減し、且つ、故意に弾性変形させられる場合にはその弾性変形が硬質補強部１５ａにより抑制されるように、適宜に設定されている。
【００６８】
而して、図６に示す折戸装置４の召合せ構造によれば、両召合せ弾性体５５，５６間がその表側（図６の下側）から指や先細状物等により故意に押圧されたとしても、召合せ弾性体５５側においては、壁部５５ｂの変形が硬質補強部１４ａによって抑制される。また、召合せ弾性体５６側においては、壁部５６ａの突端側の変形が若干変形したとしても、その変形が変形用空間部ｗ２の間隔内の変形となるため、両召合せ弾性体５５，５６間に覗かれてしまうような隙間が形成されるのを防ぐことができる。
また、例えば、両召合せ弾性体５５，５６間がその裏側（図６の上側）から指や先細状物等により故意に押圧された場合も、壁部５６ａの突端側の変形が変形用空間部ｗ２の間隔内の変形となるため、両召合せ弾性体５５，５６間に覗かれてしまうような隙間が形成されるのを防ぐことができる。
【００６９】
なお、図６に示す態様において、壁部５５ｂ（又は５６ａ）と硬質補強部１４ａとの間を接着剤により接着すれば、硬質補強部１４ａ（又は１５ａ）による変形抑制効果を、一層向上することができる。
【００７０】
また、図７に要部を示す折戸装置５では、上述した折戸装置３（図５参照）に対し、各止着ブラケット１４を止着ブラケット１６に置換した構成とされる。
止着ブラケット１６は、上述した止着ブラケット１３に対し、中空部ｓにおける扉体厚さ方向の中央側に硬質補強部１６ａを一体的に突設している。
硬質補強部１６ａは、その突端と、該硬質補強部１６ａを内在する召合せ弾性体５５（又は５６）の内面との間に、該召合せ弾性体５５（又は５６）を所定量だけ変形させるための変形用空間部ｗ３を確保するように、その突出量が設定されている。
更に、図７に示す好ましい一例によれば、硬質補強部１６ａは、その周囲の召合せ弾性体５５（又は５６）における凹部５５ｄの底部に当接可能となるように配置されている。
【００７１】
而して、図７に示す折戸装置５の召合せ構造によれば、両召合せ弾性体５５，５６間がその表側又は裏側から指や先細状物等により故意に押圧されたとしても、召合せ弾性体５５（及び／又は５６）における凹部５５ｄ（及び／又は５６ｄ）の底部内側を、対応する硬質補強部１６ａに当接させることで、その際の弾性変形を抑制することができ、ひいては、両召合せ弾性体５５，５６間に覗かれてしまうような隙間が形成されるのを防ぐことができる。
また、両召合せ弾性体５５，５６間に、万が一、指や物等が挟まれた際には、召合せ弾性体５５の突端側部分と召合せ弾性体５６の突端側部分を、それぞれ変形用空間部ｗ３の間隔内で弾性変形させることで、挟まれた指や物等に加わる押圧力を軽減することができる。
【００７２】
なお、図５乃至７に示す召合せ構造では、各召合せ弾性体における一方側の壁部の肉厚と他方側の壁部の肉厚を略同等にしたが、図３及び４に示す召合せ構造と略同様に、各召合せ弾性体における一方側の壁部を他方側の壁部よりも厚くすることも可能である。
【００７３】
また、図１乃至７に示す召合せ構造では、一方の弾性体と他方の弾性体とを同形状にすることで生産性を向上しているが、一方の弾性体に対し他方の弾性体を異形状にすることも可能である。
また、図３乃至７に示す厚肉の壁部、変形抑制リブ、硬質補強部等は、隣り合う扉体の内の双方に設けられることが好ましいが、その扉体の一方のみに設けた構成とすることも可能である。
【００７４】
また、図３乃至７に示す召合せ構造において、中空部ｓは、召合せ弾性体の長手方向（図１によれば上下方向）へ連続し、その両端部が開放された構造とすればよいが、他例としては、この中空部ｓの長手方向の端部を閉鎖し、該中空部ｓが密閉される構造としてもよい。この他例によれば、召合せ弾性体が外力により弾性変形する際に、中空部ｓ内の気体が圧縮されるため、該気体の弾発力により、召合せ弾性体の変形抑制効果を一層向上することができる。
【図面の簡単な説明】
【００７５】
【図１】本発明に係わる折戸扉体間の召合せ構造を適用した折戸装置の一例を示す正面図である。
【図２】同折戸装置の横断面図であり、扉体を閉鎖動作させた際の状態を示している。
【図３】同折戸装置における召合せ構造を示す横断面図であり、（ａ）は通常の状態を示し、（ｂ）は召合せ弾性体が押圧された状態を示している。
【図４】本発明に係わる折戸扉体間の召合せ構造の他例を示す要部横断面図である。
【図５】本発明に係わる折戸扉体間の召合せ構造の他例を示す要部横断面図である。
【図６】本発明に係わる折戸扉体間の召合せ構造の他例を示す要部横断面図である。
【図７】本発明に係わる折戸扉体間の召合せ構造の他例を示す要部横断面図である。
【符号の説明】
【００７６】
１，２，３，４，５：折戸装置
１１，１２：扉体
１４：止着ブラケット
１４ａ，１５ａ，１６ａ：硬質補強部
５１，５２，５３，５４，５５，５６：召合せ弾性体
５１ａ，５２ａ，５３ａ，５４ａ：厚肉の壁部
５１ｂ，５２ｂ，５３ｂ，５４ｂ：薄肉の壁部
５５ａ，５５ｂ，５６ａ，５６ｂ：壁部
５３ｅ，５４ｅ：変形抑制リブ
ｓ：中空部
ｗ１，ｗ２，ｗ３：変形用空間部
【図１】
2007278038.tif 000003
【図２】
2007278038.tif 000004
【図３】
2007278038.tif 000005
【図４】
2007278038.tif 000006
【図５】
2007278038.tif 000007
【図６】
2007278038.tif 000008
【図７】
2007278038.tif 000009